(57)【要約】【課題】  １つの操作つまみで複数の熱源を操作するものにおいて、操作性を向上する事を目的とするものである。【解決手段】  加熱調理器本体１の操作部に設けられ、回転操作並びにプッシュプッシュ操作により複数の熱源のオン・オフ操作と火力設定を行う操作摘み１６を、基板２０に固定されたガイド軸２１と、このガイド軸に軸方向に摺動自在に支持されたスライド軸２２と、このスライド軸の先端に回転自在に装着した中空筒状の回転摘み２６と、この回転摘みの内側に配置した一対の操作ボタン３５，３６と、これら操作ボタンの押圧操作により各々作動されるスイッチ３３，３４と、回転摘みの回転を検出するボリューム２７とから構成して成る。【選択図】        図１
2005069561.tif 000002
【特許請求の範囲】
【請求項１】
加熱調理器本体の操作部に設けられ、回転操作並びにプッシュプッシュ操作により複数の熱源のオン・オフ操作と火力設定を行う操作摘みを、基板に固定されたガイド軸と、このガイド軸に軸方向に摺動自在に支持されたスライド軸と、このスライド軸の先端に回転自在に装着した中空筒状の回転摘みと、この回転摘みの先端に配置した一対の操作ボタンと、これら操作ボタンの押圧操作により各々作動されるスイッチと、上記回転摘みの回転を検出するボリュームとから構成した事を特徴とする、加熱調理器のスイッチ装置。
【請求項２】
上記複数の熱源を加熱調理器本体内の前後に配置すると共に、上記操作摘みを加熱調理器本体の前面に配置し、かつ上記操作ボタンを上下に配置して、上側に配置した操作ボタンを上記後方に配置した熱源用、下側に配置した操作ボタンを前方に配置した熱源用に設定した事を特徴とする、上記請求項１に記載の加熱調理器のスイッチ装置。
【請求項３】
上記各操作ボタンを揺動自在に枢支すると共に、これらの支点を上端付近に設定した事を特徴とする、上記請求項１，２に記載の加熱調理器のスイッチ装置。
【請求項４】
上記操作ボタンの操作面に透光部を設けると共に、この透光部の内側にランプを配置した事を特徴とする、上記請求項１〜３に記載の加熱調理器のスイッチ装置。
【請求項５】
上記スライド軸の位置を検出する位置検出スイッチを設けた事を特徴とする、上記請求項１〜４に記載の加熱調理器のスイッチ装置。
【発明の詳細な説明】
【技術分野】
【０００１】
本発明は、ヒータ等の熱源により被調理物を加熱して調理を行う加熱調理器のスイッチ装置に関する。
【背景技術】
【０００２】
システムキッチンの天板に収納設置される加熱調理器等では、例えば特許文献１に示される様に、プッシュプッシュ機構により、つまみを操作パネルのパネル面より押し込み及び突出自在に装着し、熱源の非使用時にはつまみを押し込み、熱源の使用時にはつまみを突出させて回転操作することで火力を調節する様に構成したものがある。
【特許文献１】実開平６−４８０１９号公報
【発明の開示】
【発明が解決しようとする課題】
【０００３】
一方、上記加熱調理器では、調理器本体の天面や内部に複数の熱源を配置し、操作パネルにこれらの熱源を操作する複数個のつまみを配置しているが、熱源と同数のツマミを例えば横一列に配置した場合には、操作パネルの横にグリル扉を配置した場合が多く、操作パネルの横幅がある程度制約されることもあり、つまみ間のスペースが狭くなり、操作性を低下させるという問題がある。
【０００４】
又、システムキッチンの天板に収納設置される電磁調理器では、商用電源の電気容量の制限より、天板の奥部に配置したラジエントヒータと称される熱源とロースターとを同時に使用出来ない等の理由から、これらを１つのつまみで共用する様に構成したものがあるが、この場合、つまみのブッシュ操作以外に熱源を選択する為のスイッチや、このスイッチの操作が必要となり、使い勝手が悪いという問題がある。
【課題を解決するための手段】
【０００５】
本発明の請求項１の構成は、加熱調理器本体の操作部に設けられ、回転操作並びにプッシュプッシュ操作により複数の熱源のオン・オフ操作と火力設定を行う操作摘みを、基板に固定されたガイド軸と、このガイド軸に軸方向に摺動自在に支持されたスライド軸と、このスライド軸の先端に回転自在に装着した中空筒状の回転摘みと、この回転摘みの先端に配置した一対の操作ボタンと、これら操作ボタンの押圧操作により各々作動されるスイッチと、回転摘みの回転を検出するボリュームとから構成して成るものである。
【０００６】
又、本発明の請求項２の構成は、請求項１の構成において、複数の熱源を加熱調理器本体内の前後に配置すると共に、操作摘みを加熱調理器本体の前面に配置し、かつ操作ボタンを上下に配置して、上側に配置した操作ボタンを後方に配置した熱源用、下側に配置した操作ボタンを前方に配置した熱源用に設定した事を特徴とするものである。
【０００７】
そして又、本発明の請求項３の構成は、請求項１〜２の構成において、各操作ボタンを揺動自在に枢支すると共に、これらの支点を上端付近に設定した事を特徴とするものである。
【０００８】
更に、本発明の請求項４の構成は、請求項１〜３の構成において、操作ボタンの操作面に透光部を設けると共に、この透光部の内側にランプを配置した事を特徴とするものである。
【０００９】
そして更に、本発明の請求項５の構成は、請求項１〜４の構成において、スライド軸の位置を検出する位置検出スイッチを設けた事を特徴とするものである。
【発明の効果】
【００１０】
本発明の請求項１に記載の構成により、２つの熱源をオン・オフ操作する操作ボタンを１個の操作つまみに配置したことで、操作パネル内の操作ボタン配置スペースを削減できると共に、操作ボタンを特定の熱源専用ボタンに設定することで、操作性を向上する事が出来るものである。
【００１１】
本発明の請求項２に記載の構成により、操作する熱源と操作ボタンの配置関係が明確となり、操作性を向上すると同時に誤動作を防止する事が出来る。
【００１２】
本発明の請求項３に記載の構成により、各操作ボタンの押圧位置を明確に分離出来ると共に、操作ボタンの押圧とスライド軸のスライド操作との同時操作の操作性を向上する事が出来るものである。
【００１３】
本発明の請求項４に記載の構成により、オン操作された操作ボタンの内側に配置したランプを点灯することで、オン操作された操作ボタンを明確に表示する事が出来るものである。
【００１４】
本発明の請求項５に記載の構成により、スライド軸の位置を位置検出スイッチにて確実に検出することで、何らかの原因によりスイッチが作動しない状態にてスライド軸がプッシュプッシュ操作されても、これを検出して誤操作等を防止する事が出来るものである。
【発明を実施するための最良の形態】
【００１５】
本発明の実施例を電磁調理器を用いて先ず図１に基づき説明すると、１は例えばシステムキッチンにドロップイン方式にて組み込まれる調理器本体で、上面に耐熱ガラス製の天板２を装着していると共に、この天板下方の内部上面左右に熱源である誘導加熱コイル３，４を配設し、かつこれら誘導加熱コイル間の後方にラジエントヒータ５を配置している。
【００１６】
又、上記電磁調理器本体１内の前面右側には操作パネル６を配設していると共に、この操作パネルの左側には、熱源であるグリル７の前面を開閉するグリル扉８を引き出し自在に配設している。
【００１７】
一方、上記操作パネル６は、図２にても示す様に主に左右方向に３区画に分け、右上の端には左右シーソー式の電源スイッチ１０を設けていると共に、上記３区画の各上部に液晶表示器１１，１２，１３を横並びに配設し、かつこれら液晶表示器の下方に、複数の操作キー１４・・を配設している。
【００１８】
又、上記３区画の最も下には、回転及びプッシュプッシュ操作式の操作摘み１５，１６，１７を配設し、操作摘み１５をプッシュ操作により引き出すと誘導加熱コイル３への通電を開始し、押し込むと運転を停止し、引き出し位置で回転操作すると火力を設定し、操作摘み１７を同様の操作で引き出すと誘導加熱コイル４への通電を開始し、押し込むと運転を停止し、引き出し位置で回転操作すると火力を設定出来る様に構成している。
【００１９】
一方、上記操作摘み１６は、図３及び図４にても示す様に、上記操作パネル６の内部にこれと平行に配置した基板２０の前面に中空円筒状のガイド軸２１を固定し、このガイド軸に中空円筒状のスライド軸２２を軸方向に摺動自在でかつ回転しない状態に嵌合すると共に、このスライド軸の先端に円形盆状の受部２３を一体に形成し、この受部の先端に、回転ボリューム基板２４、中空筒状のボリューム回転軸２５及び回転摘み２６を順次装着して構成している。
【００２０】
尚、スライド軸２２とガイド軸間には図示しない周知のプッシュプッシュ機構を設け、スライド軸のプッシュプッシュ操作により、スライド軸２２が押し込み位置と引き出し位置に固定される様に構成している。
【００２１】
又、上記回転ボリューム基板２４は受部２３に固定していると共に、上記ボリューム回転軸２５の回転を検出するボリューム２７を固定し、かつボリューム回転軸２５はボリューム基板２４に回転自在に枢支し、ボリューム回転軸２５に上記回転摘み２６を一体的に連結している。
【００２２】
一方、上記回転摘み２６の内部には、支持ホルダー２８を固定ボス２９，２９により上記受部２３にビス等により連結固定していると共に、支持ホルダー２８の前面に回路基板３０を固定し、この回路基板の前面に上下一対のランプ３１，３２とスイッチ３３，３４を配設している。
【００２３】
更に、上記回路基板３０の前面には、一対の操作ボタン３５，３６を上下に配置していると共に、これら操作ボタンの裏面には上記スイッチ３３，３４を操作する操作子３７，３８を一体に突設し、かつ前面には樹脂フィルム等の透光性樹脂の裏面または表面に印刷を施し、上記ランプ３１，３２に対向する部分に印刷した絵表示３９，４０が、上記操作ボタン３５，３６のオン操作時にこれらランプにより各々発光する様に構成したカバー４１，４２を貼着している。
【００２４】
尚、上記操作ボタン３５，３６は、各々の上端部に一体形成した薄肉部４３，４４が各操作ボタン３５，３６のプッシュ操作により変形することで、該部を支点に前後方向に揺動自在に枢支し、操作ボタン３５，３６の押圧位置をこれらボタンの下端部に設定して操作位置を離すことで、同時押し操作による誤操作を極力防止していると共に、上側に配置した操作ボタン３５を上記ラジエントヒータ５の操作用、下側に配置した操作ボタン３６をグリル７の操作用に設定し、これら熱源の位置と操作ボタンの位置関係を一致することで、操作性を向上し、かつ上記絵表示３９，４０もラジエントヒータ５の位置とグリル７を意味する魚の絵等の機能表示とし、誤操作を防止する様に構成している。
【００２５】
又、上記スライド軸２２の後端部には駆動板４５を鍔状に一体成形すると共に、この駆動板と基板２０間にスライド軸２２等を上記回転摘み２６が操作パネル６に穿孔した窓孔４６・・より突出する方向に付勢するスプリング４７を装着し、かつ駆動板４５にて基板２０に配置した位置検出スイッチ４８を作動する様に構成している。
【００２６】
次いで動作について説明すると、各熱源が非作動時には、図１〜図３にて示す様に各操作つまみ１５，１６，１７は操作パネル６内に押し込まれている。
【００２７】
一方、誘導加熱コイル３，４により加熱調理を行う場合には、電源スイッチ１０をオン操作した後、操作つまみ１５，１７をプッシュ操作して前方に突出させることで、図示しない制御回路によりこの操作を検出して誘導加熱コイル３，４に所定の高周波電力を供給し、これら誘導加熱コイルの上に載置された鍋等を加熱する。
【００２８】
又、ラジエントヒータ５を使用する場合には、図５のＡにて示す様に、指５０で操作ボタン３５を押してスイッチ３３をオン操作しながらスライド軸２２を少し押し込むことで、上記の図示しないプッシュプッシュ機構のロックが外れ、同じくＢにて示す様に操作つまみ１６の先端部分が前方に突出する。この時、上記図５のＡにて示す非通電状態では駆動板４５にて位置検出スイッチ４８がオン（又はオフ）しているが、プッシュ操作により前方に突出すると、駆動板４５が位置検出スイッチ４８から離れてオフ（又はオン）する。
【００２９】
そして、上記スイッチ３３のオン操作を図示しない制御回路により検出してラジエントヒータ５への通電を開始し、この状態で回転摘み２６を回転操作することで、この回転量をボリューム２７にて検出し、回転量に応じてラジエントヒータ５の火力を変更する。
【００３０】
又、上記操作ボタン３５のオン操作によりランプ３１に通電されて絵表示３９を点灯し、ラジエントヒータ５の使用を明確に表示する。
【００３１】
更に、上記ラジエントヒータ５への通電を停止する場合には、図５のＣにて示す様に、ラジエントヒータ５用の操作ボタン３５を押してスイッチ３３をオン操作しながらスライド軸２２を押し込むことで、スイッチ３３にてこの操作を検出し、制御回路によりラジエントヒータ５への通電を停止する。この時、駆動板４５にて位置検出スイッチ４８をオン（又はオフ）し、この位置検出スイッチにてもスライド軸２２の押し込み操作を検出し、誤って操作ボタン３６を押しながら操作つまみ１６をプッシュ操作しても、位置検出スイッチ４８にてこれを確実に検出してラジエントヒータ５への通電を停止する。
【００３２】
尚、上記ラジエントヒータ５への通電を停止する場合の操作ボタン３５の操作に際しては、ランプ３１の点灯による絵表示３９の点灯を目安に行い、この点灯にて誤操作の防止を計っている。
【００３３】
一方、グリル７を使用する場合には、上記と同様に操作ボタン３６を押しながらスライド軸２２をプッシュプッシュ操作することで、スイッチ３４にて操作ボタン３６の操作を検出して図示しないグリル７内のヒータへの通電を制御し、同様に回転摘み２６を回転操作すればグリルヒータの火力を設定変更する事が出来る。
【００３４】
尚、上記実施例では位置検出スイッチ４８にてもスライド軸２２の位置を検出することで、ラジエントヒータ５或いはグリル７の使用を停止する場合に、使用していない操作ボタン３５，３６を押してスライド軸２２を押し戻しても、これを検出して熱源への通電を停止し、誤動作を防止する様に構成しているが、例えば使用開始時の操作ボタン３５，３６の押し込み操作によりこれら操作ボタンを押し込み位置にロックし、再度同じ操作ボタン３５，３６を押し込み操作しなければプッシュプッシュ機構が作動しない様に構成すれば、上記位置検出スイッチ４８を省略出来るものである。
【００３５】
又、上記実施例では操作つまみ１６の直径を他の操作つまみ１５，１７より一回り大きく構成し、操作ボタン３６，３６の表面積を極力大きく設定することでこれらの操作性向上を計っているが、これに限定されることなく、操作つまみ１５，１６，１７の直径を全て同じに構成しても良い。
【図面の簡単な説明】
【００３６】
【図１】本発明を用いた加熱調理器の実施例を示す斜視図である。
【図２】同じく操作パネルの正面図である。
【図３】本発明による実施例を示す側面縦断面図である。
【図４】同じく分解斜視図である。
【図５】同じく動作説明図である。
【符号の説明】
【００３７】
１    調理器本体
３    誘導加熱コイル（熱源）
４    誘導加熱コイル（熱源）
５    ラジエントヒータ（熱源）
７    グリル（熱源）
１６  操作摘み
２０  基板
２１  ガイド軸
２２  スライド軸
２６  回転摘み
２７  ボリューム
３１  ランプ
３２  ランプ
３３  スイッチ
３４  スイッチ
３５  操作ボタン
３６  操作ボタン
４３  薄肉部（支点）
４４  薄肉部（支点）
４８  位置検出スイッチ
【図１】
2005069561.tif 000003
【図２】
2005069561.tif 000004
【図３】
2005069561.tif 000005
【図４】
2005069561.tif 000006
【図５】
2005069561.tif 000007